(57)【要約】  本発明は、特に屋外領域において、矩形の被覆板（１）によって床材を形成するための建築部材に関する。本発明により板縁で枠状に周囲を囲む、好ましくは射出され、または／および発泡される合成樹脂材料から成る成形部分（２）が設けられる。【選択図】図２
2020529536.tif 000002
【特許請求の範囲】
【請求項１】
矩形の被覆板（１）によって特に屋外領域用の床材を形成するための、板縁で枠状に周囲を巡る合成樹脂材料から成る成形部分（２）を特徴とする建築部材。
【請求項２】
前記枠状に周囲を巡る成形部分（２）が前記被覆板（１）に射出される、または／および発泡されることを特徴とする、請求項１に記載の建築部材。
【請求項３】
前記被覆板が均質にせっ器、特に磁器せっ器により製造されることを特徴とする、請求項１または２に記載の建築部材。
【請求項４】
前記成形部分（２）が継目充填の半分を形成する周囲を巡る前記板縁面を覆う被覆部分（４）を含むことを特徴とする、請求項１から３のいづれか一項に記載の建築部材。
【請求項５】
前記成形部分（２）が前記床材を形成するそのような建築部材を互いに縁側で結合するための装置を含むことを特徴とする、請求項１から４のいづれか一項に記載の建築部材。
【請求項６】
前記成形部分（２）が前記被覆板（１）の下側から下方へと突出する部分（３）を含むことを特徴とする、請求項１から５のいづれか一項に記載の建築部材。
【請求項７】
前記結合装置が前記成形部分（２）の前記被覆板（１）の下側から突出する前記部分（３）によって形成されることを特徴とする、請求項６に記載の建築部材。
【請求項８】
前記結合装置が垂直または水平差込方向への差込結合のための要素を含むことを特徴とする、請求項５から７のいづれか一項に記載の建築部材。
【請求項９】
前記被覆板（１）の板下側から突出する前記成形部分（２）の前記部分（３）が前記被覆板（１）の２つの互いに対して垂直な縁側に差込孔（６）を有する結合枠縁（５）を、および前記被覆板の前記両方の他の縁側に前記被覆板の下に配置された差込ピン（７）を備えることを特徴とする、請求項５から８のいづれか一項に記載の建築部材。
【請求項１０】
前記被覆板（１）の下側から突出する前記部分（３）が約５ｍｍから１０ｍｍ、好ましくは８ｍｍ突出することを特徴とする、請求項１から９のいづれか一項に記載の建築部材。
【請求項１１】
前記被覆板（１）の厚さが１０ｍｍより大きい、好ましくは２０ｍｍより大きいことを特徴とする、請求項１から１０のいづれか一項に記載の建築部材。
【請求項１２】
前記成形部分（２）によって包囲される前記被覆板（１）の下側の面に、場合により１つまたは複数のスプルーのストランドまで、または／および前記成形部分（２）から内側に突出したウェブまで、成形部分がないことを特徴とする、請求項１から１１のいづれか一項に記載の建築部材。
【発明の詳細な説明】
【技術分野】
【０００１】
本発明は、特に屋外領域において、矩形の被覆板によって床材を形成するための建築部材に関する。
【背景技術】
【０００２】
屋外領域において床材を形成するためには公知のようにせっ器、例えばコンクリートまたは天然石から成る板が砂または／および砂床に敷かれる。嵌め込みの際、被覆板間の継目に材料が浸透することにより、被覆板は水平方向の変位に対して広範囲に保護される。
【発明の概要】
【発明が解決しようとする課題】
【０００３】
本発明の課題は、冒頭で言及した種類の、それによって向上した被覆品質で床材形成が簡易化される、新しい建築部材を提供することである。
【課題を解決するための手段】
【０００４】
本発明によるこの課題を解決する建築部材は、板縁で枠状に周囲を取り囲む合成樹脂材料から成る成形部分によって特徴付けられる。
【０００５】
本発明の合成樹脂材料から成る成形部分によって、建築部材の敷設の際、簡単な方法で成形部分間の継目の形成を通じて、非常に均一で美しい継目パターンが生成されうる。
【０００６】
本発明の特に好ましい実施形態では、枠状に周囲を取り囲む成形部分が、被覆板が配置された状態で、鋳型空間中で被覆板に射出成形または／および発泡される。
【０００７】
金属板またはガラス板も被覆板として適しているが、被覆板は好ましくはせっ器から、特に好ましい実施形態では、磁器せっ器から成る。
【０００８】
合目的的に、成形部分は周囲を巡って板縁面を覆う半分の継目充填の形成のための被覆部分を含む。
【０００９】
建築部材間の被覆複合材中の成形部分によって特に被覆部分間の１つの継目のみが形成されうるであろうことに対し、成形部分は好ましくは床材を形成するそのような建築部材を互いに縁側で結合するための装置を備える。
【００１０】
特に、成形部分は、被覆板の下側から下方に突出する部分を備え、上述の結合装置は、好ましくは成形部分のこの部分によって形成される。
【００１１】
合目的的に、結合装置は垂直または水平の差込方向への差込結合のための要素を含む。
【００１２】
本発明の特に好ましい実施形態では、被覆板の板下側から突出する成形部分の部分が、２つの互いに対して垂直な被覆板の縁側に差込孔を有する結合枠縁を、および被覆板の両方の他の縁側に被覆板の下に配置される差込ピンを備える。差込孔および差込ピンは逆に配置されていてもよい。
【００１３】
被覆板の下側から突出する部分は好ましくは５ｍｍから１０ｍｍ、特に８ｍｍの突出した長さを有する。
【００１４】
被覆板の厚さは合目的的に１０ｍｍより大きい、特に２０ｍｍより大きい。
【００１５】
被覆板の下側の成形部分によって包囲された面には好ましくは成形部分がない。成形部分が被覆板の縁領域上に集中することにより、建築部材を砂床または／および砂利床の中に敷設する際、枠状の成形部分がより簡単に床の中に嵌入されることができ、それは床材に安定した水平支持を与える。
【００１６】
本発明は実施形態例および添付されたこれらの実施形態例に関連する図面を基に、以下でさらに説明される。
【図面の簡単な説明】
【００１７】
【図１】本発明の建築部材を上面図で示す。
【図２】図１の本発明の建築部材を断面側面図で示す。
【図３】図１の建築部材を下からの部分図で示す。
【図４】本発明の建築部材の第２実施形態例を下からの部分図で示す。
【図５】本発明の建築部材の第３実施形態例を示す。
【図６】本発明の建築部材の第３実施形態例を異なる図で示す。
【図７】本発明の建築部材の第３実施形態例を異なる図で示す。
【発明を実施するための形態】
【００１８】
図１で上面図によって示された例えば天候に晒される屋外領域での床材の形成のための建築部材は、示された例の中で磁器せっ器から成り２０ｍｍの厚さを有する被覆板１を含む。矩形の被覆板の縁側の長さは６０ｃｍである。
【００１９】
被覆板１は板縁で枠状に周囲を巡って形成される成形部分２と結合し、それは（図示されない）鋳型の中で被覆板１に射出され、図示された例ではポリウレタン（ＰＵ）から成る。射出成形と発泡の過程で、被覆板１と形成部品２の間に材料結合が生成される。
【００２０】
図１から図３でわかるように、枠状に周囲を巡って形成される成形部分２は、被覆板１の下側から下方へ突出する部分３、並びに被覆板１の縁面の周りを巡る、その厚さが継目幅の半分に相当する被覆部分を形成する部分４を有する。
【００２１】
周囲を巡る被覆部分を形成する部分４がつまり継目の充填を形成する役割をするのに対し、被覆板１の下側から下方へ突出する部分３によってそのような建築部材の相互の結合のための装置が形成される。そのような装置として部分は被覆板１の２つの互いに対して垂直な縁側にそれぞれ板縁から突出した結合枠縁５を有するフレーム脚１０および枠縁の長手方向に延在する差込孔６の列を備える。被覆板１の両方の他の互いに対して垂直な縁側に下方に向かって突出する部分３によって差込孔６に対応する差込ピン７を有するフレーム脚１１が形成される。
【００２２】
結合枠縁５を有する被覆板１の縁側には部分４によって形成される被覆部分が凹部８および他の縁側に凸部９を有する。
【００２３】
下側から突出するそれぞれ互いに対して垂直な板側にフレーム脚１０および１１を形成する成形部分２の部分３は建築部材の敷設の際、枠状の平坦な下側１２で下張り床上に着座する。
【００２４】
下張り床はコンクリート床でありうる。この場合被覆板１は下張り床に対して間隔を保持するため、積載荷重が被覆板のみから成形部分２を介して下張り床上に伝達される。
【００２５】
代替的に下張り床は砂または／および砂利層を備えうる。砂または砂利から成る高密度化されていない最上層の中に建築部材が成形部分２の突出した部分３で、建築部材１も最上層の上で支持されるまで軽く嵌入する。そのようにして荷重は成形部分２を介してだけでなく、直接被覆板１からも下張り床上に伝達される。
【００２６】
床板の形成のために建築部材は縁側で垂直に互いに嵌合し、差込ピン７は差込孔２の中に摩擦結合式の結合の生成の元で嵌入する。差込穴および差込ピンを介して付加的に形状結合式のロック結合が生成されうることは自明である。建築部材間の結合は形成された床材に高い安定性を与える。
【００２７】
複合材では、各建築部材の成形部分２の部分４が継目の充填の半分を形成する。近傍の建築部材の部分４が直接互いに近接することにより、均一な継目パターンが生じる。凹部８および凸部９は被覆部分の建築部材を垂直方向の変位から保護する。
【００２８】
図１から図３に示された実施形態例では（図示されない）スプルー部が直接枠状の成形部分２に接して形成される。図４の実施形態例ではスプルー部１３が枠状の成形部分２から離れて配置される。スプルー部１３から被覆板１と結合されたスプルー部１４が結合枠縁５を備えた枠部分１０中の差込孔６に向かって延在する。
【００２９】
さらに図１から図３の実施形態例から逸脱して成形部分２は角領域でそれぞれ１つの拡大１５を有し、これが角領域の表面圧力を有利に低減する。
【００３０】
図５から７に示された実施形態例の１つでは被覆板１および枠状の成形部分２にさらにウェブ１６が形成され、それは成形部分２の互いに向かい合うフレーム脚から内側に延在しそれぞれ自由に終わる。該当する例の中の互いに対して配向されるウェブ１６の幅はフレーム脚の幅よりも明らかに小さい。それらの被覆板１から突出する高さでこの例ではウェブ１６が成形部分２と一致する。符号１４でウェブ１６に垂直なスプルー部が表される。
【００３１】
有利には特に緩い地盤上のウェブが建築部材の水平方向への変位に対して作用する。
【図１】
2020529536.tif 000003
【図２】
2020529536.tif 000004
【図３】
2020529536.tif 000005
【図４】
2020529536.tif 000006
【図５】
2020529536.tif 000007
【図６】
2020529536.tif 000008
【図７】
2020529536.tif 000009
【国際調査報告】
2020529536.tif 000010
2020529536.tif 000011
2020529536.tif 000012
2020529536.tif 000013
2020529536.tif 000014